(57)【要約】【課題】小さい設置スペースでも設置可能で、かつ灰皿や小物入れなどのカップ保持以外の機能をも有し、更により多くのカップ類を保持することができる上、それぞれの機能を同時に不自由なく使用することができる多機能型の引出式カップホルダーユニットを提供することを目的とする。【解決手段】第１引出体２と第２引出体３の２つの引出体を用いて二段階の引き出し動作とし、更に第１仮係止手段（第１係止片２６と第１係止凹部１４）、第２仮係止手段（係止片３３と第２係止凹部２４）及び多段階仮係止手段（仮係止突起３６と多段係止凹凸部２７）によって引き出し動作を制御した引出式のカップホルダーユニットを提供する。【選択図】　図１
2004010019.tif 000002
【特許請求の範囲】
【請求項１】
前端面が開放した箱形のユニット本体と、
上面に第１カップ保持穴が形成されていると共に、前方移動限においてこの第１カップ保持穴の形成部分が上記ユニット本体の前端面から外方へと突出するように上記ユニット本体内に前後方向移動可能に収容された前端面が開放する箱形の第１引出体と、
上記ユニット本体と第１引出体との間に設けられ、第１引出体を後方移動限でユニット本体に仮係止する第１仮係止手段と、
上面後部に第２カップ保持穴が形成されていると共に、上面前部に第２機能部が設けられ、前方移動限においてこれら第２カップ保持穴及び第２機能部の形成部分が上記第１引出体の前端面から外方へと突出するように上記第１引出体に前後方向移動可能に収容された第２引出体と、
上記第１引出体と第２引出体との間に設けられ、上記第１カップ保持穴と第２カップ保持穴とが一致した状態で、第１引出体に対する第２引出体の引き出し動作を上記第１仮係止手段よりも強い係止力で一旦仮係止する第２仮係止手段と、
上記第１引出体と第２引出体との間に設けられ、上記第１カップ保持穴と第２カップ保持穴とが重なった状態で第１引出体に対する第２引出体の引出動作を多段階的に仮係止する多段階仮係止手段とを具備してなり、
上記第２引出体が上記第１引出体内に格納され、かつこれら両引出体が上記ユニット本体内に格納された状態から、上記第２引出体を引き出すことにより、まず上記第２引出体のみがユニット本体及び第１引出体から引き出され上記第２仮係止手段により仮係止されて、上記第２機能部のみがユニット本体前端面から突出した状態となり、次いで、この仮係止状態のまま上記第１仮係止手段によるユニット本体と第１引出体との仮係止状態が解除されて第１引出体が前方移動限まで引き出され、上記第１カップ保持穴と第２カップ保持穴とが一致した状態で両カップ保持穴がユニット本体前端面から突出した状態となり、更に第１カップ保持穴と第２カップ保持穴とが重なった状態で、上記多段階仮係止手段により、上記第２引出体が多段階的に仮係止されながら引き出された後、この第２引出体が前方移動限まで引き出され、上記第１カップ保持穴、第２カップ保持穴及び第２機能部がそれぞれユニット本体前端面から前方へと引き出された状態となるように構成したことを特徴とする引出式カップホルダーユニット。
【請求項２】
上記多段階仮係止手段が、上記第１引出体と第２引出体の一方に設けられた断面略鋸歯状の多段係止凹凸部と、他方の引出体に設けられ該多段係止凹凸部に弾性的に当接する仮係止突起とを具備し、上記第２引出体の引き出し動作に従動して上記仮係止突起が上記多段係止凹凸部の凹部に順次係合することにより、第２引出体を第１引出体に多段階的に仮係止するように構成された請求項１記載の引出式カップホルダーユニット。
【請求項３】
上記第２機能部に小物入れ又は灰皿が設定された請求項１又は２記載の引出式カップホルダーユニット。
【発明の詳細な説明】
【０００１】
【発明の属する技術分野】
本発明は、自動車のインストルメントパネルなどに組み込んで、紙コップ、缶、又はペットボトルなどの飲料用カップ類を保持するために使用される引き出し式カップホルダーユニットに関し、更に詳述すると非常にコンパクトに格納されるのにも関わらず、より多くのカップ類を保持することができると共に、カップホルダーとしての機能と共に灰皿やコインケース等の小物入れなどの第２機能部をも付設することができる多機能な引出式カップホルダーユニットに関する。
【０００２】
【従来の技術及び発明が解決しようとする課題】
従来から、自動車のセンターコンソールやインストルメントパネルに缶入り飲料等のカップ類を保持するためのカップホルダーを設置することが行われており、この場合、このようなカップホルダーとしては、狭い自動車室内の空間を有効に利用するために、自動車内装の壁面にハウジングを組み込み、このハウジングからホルダーを随時引き出して使用する引出式のものが知られている。
【０００３】
しかしながら、近年、自動車のセンターコンソールやインストルメントパネルには、ナビゲーションシステムユニット、ステレオユニット、エアコンユニット、エアバックユニット等多種の装置ユニットを設置することから、灰皿等の小物入れやカップホルダーユニットの設置場所が制約されることが多いのが実情であり、灰皿等の小物入れやカップホルダーの設置に苦慮する場合が多い。
【０００４】
また、設置スペースの制限から上記パネルに灰皿とカップホルダーを上下に並べて設置した場合、両方を同時に使用することができなかったり、たとえ同時に使用できたとしても、一方が他方の上部を遮ってしまうため同時に使用する場合には非常に使い勝手の悪いものとなってしまう。
【０００５】
一方、自家用乗用車のカップホルダーとしては、２個のカップ類が載置可能なカップホルダーが一般的であるが、近年では、シートアレンジが多彩になり、自家用乗用車の分野においてもフロントシートに３人掛けベンチシートを採用したものや、回転可能なシートにより前後を対面シートにできるもの等もあり、より多くのカップ類を保持することができるカップホルダーが望まれている。
【０００６】
しかし、最近では、自動車のセンターコンソールやインストロメントパネルの形状を、事故時の安全性の観点から、丸みを帯びた形状とすることが多く、下部に行くに従いパネル面がフロントへ遠ざかるように傾斜していることが多い。このような場合、パネル上部に設置する必要があるカーナビゲーションユニット、エアバックユニット、エアコンユニット等がパネル面の上部を占有するため、灰皿等の小物入れやカップホルダーは必然的に奥行が狭く、幅も制約のあるパネル下部に設置しなければならない。
【０００７】
更に、上記のようなパネル下部にカップホルダーを設置した場合、ホルダーに載せるカップ類を直立させるためには、カップ類の上部がパネルに接触しない程度にホルダーを余分に引き出す必要があり、設置部分の奥行が狭いにも関わらず引出部分の奥行を余分に採らなければならないという問題もあり、これまで、奥行、幅共に狭い部分に設置可能であり、カップ類を多数載置し同時に灰皿や小物入れなどの他の用途としても使用が可能で、更にそれぞれが同時に不自由なく使用することができる多機能で使い勝手のよいカップホルダーは達成されていなかった。
【０００８】
本発明は、上記事情に鑑みなされたもので、奥行、幅共に狭い部分に設置可能であるにもかかわらず、灰皿や小物入れなどのカップ保持以外の機能をも有し、更により多くのカップ類を保持することができる上、それぞれの機能を同時に不自由なく使用することができる多機能型のカップホルダーを提供することを目的とする。
【０００９】
【課題を解決するための手段】
本発明は、上記目的を達成するため、前端面が開放した箱形のユニット本体と、上面に第１カップ保持穴が形成されていると共に、前方移動限においてこの第１カップ保持穴の形成部分が上記ユニット本体の前端面から外方へと突出するように上記ユニット本体内に前後方向移動可能に収容された前端面が開放する箱形の第１引出体と、上記ユニット本体と第１引出体との間に設けられ、第１引出体を後方移動限でユニット本体に仮係止する第１仮係止手段と、上面後部に第２カップ保持穴が形成されていると共に、上面前部に第２機能部が設けられ、前方移動限においてこれら第２カップ保持穴及び第２機能部の形成部分が上記第１引出体の前端面から外方へと突出するように上記第１引出体に前後方向移動可能に収容された第２引出体と、上記第１引出体と第２引出体との間に設けられ、上記第１カップ保持穴と第２カップ保持穴とが一致した状態で、第１引出体に対する第２引出体の引き出し動作を上記第１仮係止手段よりも強い係止力で一旦仮係止する第２仮係止手段と、上記第１引出体と第２引出体との間に設けられ、上記第１カップ保持穴と第２カップ保持穴とが重なった状態で第１引出体に対する第２引出体の引出動作を多段階的に仮係止する多段階仮係止手段とを具備してなり、上記第２引出体が上記第１引出体内に格納され、かつこれら両引出体が上記ユニット本体内に格納された状態から、上記第２引出体を引き出すことにより、まず上記第２引出体のみがユニット本体及び第１引出体から引き出され上記第２仮係止手段により仮係止されて、上記第２機能部のみがユニット本体前端面から突出した状態となり、次いで、この仮係止状態のまま上記第１仮係止手段によるユニット本体と第１引出体との仮係止状態が解除されて第１引出体が前方移動限まで引き出され、上記第１カップ保持穴と第２カップ保持穴とが一致した状態で両カップ保持穴がユニット本体前端面から突出した状態となり、更に第１カップ保持穴と第２カップ保持穴とが重なった状態で、上記多段階仮係止手段により、上記第２引出体が多段階的に仮係止されながら引き出された後、この第２引出体が前方移動限まで引き出され、上記第１カップ保持穴、第２カップ保持穴及び第２機能部がそれぞれユニット本体前端面から前方へと引き出された状態となるように構成したことを特徴とする引出式カップホルダーユニットを提供する。
【００１０】
本発明のカップホルダーユニットは、上記ユニット本体を自動車等のインストルメントパネルやサイドパネル、その他の所定位置に組み込み、上記第１及び第２引出体を引き出して、カップホルダー又は上記第２機能部に設定された小物入れや灰皿などを使用するものである。
【００１１】
この場合、本発明のカップホルダーユニットは、引出体を引き出して使用する場合に、上記のように、まず上記第２引出体のみがユニット本体及び第１引出体から引き出されて、上記第２機能部のみがユニット本体前端面から突出した状態で一旦仮係止され、この状態で第２機能部に設定された小物入れや灰皿などを使用することができる。
【００１２】
この状態から更に引出体を引き出すことにより、この仮係止状態のまま上記第１引出体が前方移動限まで引き出されて上記第１カップ保持穴と第２カップ保持穴と一致した状態でユニット本体前端面から突出した状態となり、この重なり合った第１カップ保持穴及び第２カップ保持穴にカップ類を保持することができると共に、このようにカップ類を保持した状態で、同時に上記第２機能部に設定された小物入れや灰皿などを使用することができる。
【００１３】
また、このとき第２引出体を更に引き出すことにより、上記のように、第１カップ保持穴と第２カップ保持穴とが重なった状態で、上記第２引出体が多段階的に仮係止されながら引き出され、第１カップ保持穴と第２カップ保持穴とが重なった状態で両カップ保持穴が多段階的にずれた状態となり、これによりカップ類の外径に応じて保持穴の口径を調節することができ、カップ類をガタツキなく確実に保持することができる。
【００１４】
更に、第２引出体を前方移動限まで引き出すと、上記のように、第１引出体に設けられた上記第１カップ保持穴、第２引出体に設けられた第２カップ保持穴及び第２機能部がそれぞれ独立した状態でユニット本体前端面から前方へと引き出された状態となり、第１カップ保持穴及び第２カップ保持穴にそれぞれカップ類を保持させることができると共に、同時に第２機能部に設定された小物入れや灰皿を使用することができる。
【００１５】
このように、本発明のカップホルダーユニットによれば、一のユニットでカップホルダーとしての機能と共に灰皿や小物入れなどのカップ保持以外の機能をも有し、また第１カップ保持穴と第２カップ保持穴にそれぞれカップ類を保持させることにより多くのカップ類を保持することができる上、第１カップ保持穴のみの使用で足りる場合には必要以上に引出体を引き出す必要が無いので、必要以上に引出体が邪魔になることも無く、しかも上述のようにカップ類を保持する保持穴の径を微調整してガタツキ無くカップ類を保持することができ、更にカップホルダーとしての機能と灰皿や小物入れとしての第２機能とを同時に不自由なく利用することができる。
【００１６】
更に、本発明のカップホルダーユニットは、第１引出体と第２引出体の２つの引出体を用いて二段階の引き出し動作とし、更に上記第１仮係止手段、第２仮係止手段及び多段階仮係止手段によって上記の如く引き出し動作を制御することによって上記機能を達成したものであり、このため上述した多機能を有しかつより多くのカップ類を保持し得るにもかかわらず、比較的コンパクトに格納することができ、奥行、幅共に狭い部分にも設置可能である。
【００１７】
【発明の実施の形態及び実施例】
以下、実施例を示し、本発明をより具体的に説明する。
図１〜６は、本発明の一実施例にかかる引出式カップホルダーユニットを示すものであり、このカップホルダーユニットは、自動車のインストルメントパネルなどに埋設されるユニット本体１と、該ユニット本体１内に前後方向移動可能に収容された第１引出体２と、該第１引出体２内に前後方向移動可能に収容された第２引出体３とを具備している。
【００１８】
上記ユニット本体１は、図１に示されているように、前端面が開放していると共に、上端面も前端部に部分的に上壁１１を残して開放した状態に形成された箱形のものである。
【００１９】
このユニット本体１の上記上壁１１にはその後端縁に開放する切欠状の係止部１２，１２が所定間隔離間して形成されており、また両側壁内面の上部にはそれぞれ前後方向に沿った２本のレール溝１３，１３が並設されており、これらレール溝１３，１３はユニット本体１１の前端面に開放している。さらに、この両側壁の内面後部下部には仮係止用の第１係止凹部１４，１４が設けられている。なお、図中１５，１５は、ビス孔１５１を有する固定片であり、この固定片１５，１５をビス止めすることにより、ユニット本体１を自動車のインストルメントパネル内の所定位置に固定するようになっている。
【００２０】
次に、上記第１引出体２は、図１に示されているように、前端面が開放した箱形のものである。この第１引出体２の上端壁前部には２つの第１カップ保持穴２１，２１が幅方向に沿って並設されていると共に、上壁前端部には四角形の係止孔２２が形成されている。また、この上壁上面の後部両側部には、斜め前方へと突出する係止片２３，２３が設けられており、更に上壁内面中央部には、四角形の第２係止凹部２４が形成されている。
【００２１】
この第１引出体２の両側壁外面には、その上端部にそれぞれ前後方向に沿った２本のレール突条２５，２５が並設されている。また、両側壁外面の後端部下部には、それぞれ弾性変形可能な第１係止片２６が山形に突出した状態に設けられており、この第１係止片２６と上記ユニット本体１の第１係止凹部１４とで、第１引出体２を後方移動限でユニット本体１に仮係止する第１仮係止手段が構成されている。
【００２２】
更に、この第１引出体２の両側壁外面上部には、それぞれ前後方向に沿った２本のレール突条２５，２５が並設されていると共に、両側壁内面上部にはそれぞれ前後方向に沿ったレール溝２８，２８が第１引出体２の前端面に開放して形成されている。また、両側壁内面前端部下部にはそれぞれ断面鋸歯状の多段係止凹凸部２７，２７が形成されている。
【００２３】
この第１引出体２は、図２〜６に示されているように、上記レール突条２５，２５を上記レール溝１３，１３に挿入した状態で、上記ユニット本体１内に前後方向移動可能に収容されている。そして、図２，３に示されているように、その後方移動限においては上記第１係止片２６が上記第１係止凹部１４に係合して仮係止されると共に、図４〜６に示されているように、上記係止片２３，２３が上記係止部１２，１２に係合して前方移動限となり、この前方移動限において、上記第１カップ保持穴２１，２１の形成部分がユニット本体１の前端面から外方に突出するようになっている。
【００２４】
次に、上記第２引出体３は、図１に示されているように、下面が開放した箱形のもので、その前端に指掛け部４１を有する前面パネル４が取り付けられたものである。この第２引出体３の上端壁後部には２つの第２カップ保持穴３１，３１が幅方向に沿って並設されていると共に、上壁上面前部には小物入れや灰皿として使用される四角形の凹部３２が第２機能部として設けられている（以下、この凹部を「第２機能部３２」とする）。また、この上壁上面の後部中央には、斜め前方へと突出する係止片３３が設けられており、この係止片３３と上記第１引出体２の第２係止凹部２４とで第２仮係止手段が構成される。
【００２５】
この第２引出体３の両側壁外面には、その上部にそれぞれ前後方向に沿ったレール突条３４，３４が形成されている。また、両側壁外面の中央部下部には、それぞれ弾性片３５，３５が取り付けられていると共に、この弾性片３５に上記第１引出体２の多段係止凹凸部２７，２７に係合する仮係止突起３６が外側方へと突出した状態に形成されており、この仮係止突起３６と上記第１引出体２の多段係止凹凸部２７とで、第２引出体３の引出動作を多段階的に仮係止する多段階仮係止手段が構成される。
【００２６】
更に、この第２引出体３の両側壁後部には、軸受け孔３７，３７が設けられており、この軸受け孔３７，３７に底受け体５が回動可能に取り付けられている。即ち、この底受け体５は、一対のアーム板５１，５１の一端部間に底受け板５２を一体に架設した部材であり、両アーム板５１，５１の他端部を上記第２引出体３の軸受け孔３７，３７に軸着して第２引出体３の下面側に回動可能に取り付けられたものである。そして、この底受け体５は上方回動限において第２引出体３の内側に完全に格納され、かつ自重により下方へとスイングし下方回動限において底受け板５２が上記第２カップ保持穴３１，３１の直下に位置するようになっている。
【００２７】
この第２引出体３は、図２〜６に示されているように、上記レール突条３４，３４を上記レール溝２８，２８に挿入した状態で、上記第１引出体２内に前後方向移動可能に収容されている。そして、図２に示されているように、後方移動限において第２引出体３の前端に取り付けられた前面パネル４がユニット本体１及び第１引出体２の前端面を完全に覆う状態となり、この状態において、ユニット本体１が組み込まれたインストルメントパネル等の表面と前面パネル４の表面とがほぼ同一面を構成するようになっている。なお、この後方移動限にある第２引出体３は、上記係止片３３が所定圧力で第１引出体２の上壁内面に圧接した状態となっており、その摩擦力で第１引出体２内に格納された状態が保持されるようになっている。またこのとき、上記底受け体５は上方回動限にあり、第２引出体３の内側に格納された状態となる。
【００２８】
また、この第２引出体３は、図６に示されているように、上記係止片３３が上記第１引出体２の係止孔２２内に嵌合して係止され前方移動限となり、このとき上記第２カップ保持穴３１，３１及び第２機能部３２の形成部分が、第１引出体２の前端面から外方へと突出するようになっている。
【００２９】
更に、この第２引出体３は、上記後方移動限から前方移動限へと移動する間に、図３，４に示されているように、上記係止片３３が上記第１引出体２の第２係止凹部２４に一旦係合して仮係止され、更に図５に示されているように、この仮係止状態が解除されると同時に上記仮係止突起３６が上記第１引出体２の多段係止凹凸部２７に係合し、上記仮係止突起３６が多段係止凹凸部２７の凹部に順次係合することによってこの第２引出体３が多段階的に仮係止されながら所定量移動した後、前方移動限まで移動するようになっている。この場合、上記係止片３３と第２係止凹部２４とが一旦係合して仮係止されたときには、上記第１カップ保持穴２１と第２カップ保持穴３１とが完全に一致した状態となり、上記仮係止突起３６と多段係止凹凸部２７とが係合した状態で多段階的に移動する際には、上記第１カップ保持穴２１と第２カップ保持穴３１とが重なった状態で多段階的にずれて行くようになる。
【００３０】
なお、この第２引出体３が前方移動限まで引き出されると、図６に示されているように、上記底受け体５が自重により下方へとスイングし、上述のように、底受け板５２が上記第２カップ保持穴３１，３１の直下に位置するようになっている。
【００３１】
次に、このカップホルダーユニットの動作について説明する。
本実施例のカップホルダーユニットは、上記ユニット本体１を自動車のインストルメントパネルなどに埋設して自動車の車内に組み込み、常時は、図２に示されているように、上記第１引出体２及び第２引出体３を共にユニット本体１内に格納しておき、必要時のこれら引出体２，３を引き出して、カップホルダーや小物入れ等として使用するものである。
【００３２】
使用時は、図２に示された格納状態から、上記前面パネル４の指掛け部４１に指を掛けて両引出体２，３を引き出すが、この場合、まず第１引出体２の第１係止片２６が上記第１係止凹部１４に係合した仮係止状態のまま、上記第２引出体３のみがユニット本体１及び第１引出体２から引き出され、図３に示されているように、第２引出体３の係止片３３が第１引出体２の第２係止凹部２４に係合して仮係止され、上記第２機能部３２のみがユニット本体１前端面から突出した状態となり、この状態で第２機能部３２に設定された小物入れや灰皿などを使用することができる。
【００３３】
なおこのとき、ユニット本体１内では、第１引出体２の第１カップ保持穴２１と第２引出体３の第２カップ保持穴３１とが完全に一致した状態となっている。また、上記係止片３３と第２係止凹部２４との係合による第２引出体３と第１引出体２との仮係止状態は、上記第１係止片２６と第１係止凹部１４との係合による第１引出体２とユニット本体１との仮係止状態よりも強い係合力により仮係止されている。
【００３４】
この状態から更に第２引出体３を引き出すことにより、第２引出体３と第１引出体２との仮係止状態が維持されたまま、上記第１係止片２６と第１係止凹部１４との係合が解除されて第１引出体２とユニット本体１との仮係止状態が解消され、図４に示されているように、この上記第１引出体２が前方移動限まで引き出されて上記第１カップ保持穴２１と第２カップ保持穴３１と一致した状態でユニット本体１前端面から突出した状態となる。そして、この重なり合った第１カップ保持穴２１及び第２カップ保持穴３１にカップ類を保持することができると共に、このようにカップ類を保持した状態で、同時に上記第２機能部３２に設定された小物入れや灰皿などを使用することができる。
【００３５】
また、この状態から第２引出体３を更に引き出すと、図５に示されているように、上記係止片３３と第２係止凹部２４との係合状態が解除されて第２引出体３と第１引出体２との仮係止状態が解消されると同時に、第２引出体３の仮係止突起３６と第１引出体２の多段係止凹凸部２７とが係合し、この第２引出体３が多段階的に仮係止されながら引き出され、上記第１カップ保持穴２１と第２カップ保持穴３１とが重なった状態で両カップ保持穴２１，３１が多段階的にずれた状態となり、これによりカップ類の外径に応じて保持穴の口径を調節することができ、カップ類をガタツキなく確実に保持することができる。
【００３６】
更に、第２引出体３を前方移動限まで引き出すと、図６に示されているように、第１引出体２に設けられた上記第１カップ保持穴２１、第２引出体３に設けられた第２カップ保持穴３１及び第２機能部３２がそれぞれ独立した状態でユニット本体１の前端面から前方へと引き出された状態となると共に、第２引出体３に取り付けられた上記底受け体５が下方へとスイングして第２カップ保持穴３１の直下に位置し、第１カップ保持穴２１及び第２カップ保持穴３１にそれぞれカップ類を保持させることができると共に、同時に第２機能部３２に設定された小物入れや灰皿を使用することができる。
【００３７】
そして、使用後これら両引出体２，３を格納する場合には、前面パネル４を後方へと押圧して両引出体２，３をユニット本体１内へと押し込むことにより、まず第１引出体２が後方移動限まで後退し、次いで第２引出体３が第１引出体２内に押し込まれて行くと共に上記底受け体５が第１引出体２の前端縁部に押圧されて上方へと回動し第２引出体３の内側に格納された後、第２引出体３が完全に第１引出体２内に収容されて、図２に示された初期状態に戻るものである。
【００３８】
このように、本例のカップホルダーユニットによれば、一つのユニットでカップホルダーとしての機能と共に灰皿や小物入れなどのカップ保持以外の機能をも有し、また第１カップ保持穴２１と第２カップ保持穴３１にそれぞれカップ類を保持させることにより、多くのカップ類を保持することができる上、第１カップ保持穴２１のみの使用で足りる場合には必要以上に引出体を引き出す必要が無いので、必要以上に引出体が邪魔になることも無く、しかも上述のようにカップ類を保持する保持穴の径を微調整してガタツキ無くカップ類を保持することができ、更にカップホルダーとしての機能と灰皿や小物入れとしての第２機能とを同時に不自由なく利用することができる。
【００３９】
更に、このカップホルダーユニットは、第１引出体２と第２引出体３の２つの引出体を用いて二段階の引き出し動作とし、更に上記第１仮係止手段（第１係止片２６と第１係止凹部１４）、第２仮係止手段（係止片３３と第２係止凹部２４）及び多段階仮係止手段（仮係止突起３６と多段係止凹凸部２７）によって上記の如く引き出し動作を制御することにより上記機能を達成したものであり、このため上述した多機能を有しかつより多くのカップ類を保持し得るにもかかわらず、比較的コンパクトに格納することができ、奥行、幅共に狭い部分にも設置可能である。
【００４０】
なお、本発明のカップホルダーユニットは、上記実施例に制限されるものではない。例えば、上記実施例ではユニット本体１にレール溝１３を形成し、第１引出体２にレール突条２５を設けたが、逆に第１引出体２側にレール溝を形成し、ユニット本体１側にレール突条を設けてもよく、また第１引出体２のレール溝２８と第２引出体３のレール突条も上記と同様である。
また、使用時及び格納時にユニット本体１、第１引出体２、第２引出体３を係止する機構や底受け体５によるカップ類の支持機構は、適宜変更することができ、その他の構成についても本発明の要旨を逸脱しない限り適宜変更して差し支えない。
【００４１】
【発明の効果】
以上説明したように、本発明のカップホルダーユニットは、小さなスペースに設置可能であるにもかかわらず、灰皿や小物入れなどのカップ保持以外の機能をも有し、更により多くのカップ類を保持することができる上、それぞれの機能を同時に不自由なく使用することができるものである。
【図面の簡単な説明】
【図１】本発明の一実施例にかかるカップホルダーユニットを示す分解斜視図である。
【図２】同カップホルダーユニットの格納状態を示す斜視図である。
【図３】同カップホルダーユニットの引出体を引き出す動作の第１段階を示す斜視図である。
【図４】同動作の第２段階を示す斜視図である。
【図５】同動作の第３段階を示す斜視図である。
【図６】同動作の最終段階を示す斜視図である。
【符号の説明】
１　ユニット本体
１４　第１係止凹部
２　第１引出体
２１　第１カップ保持穴
２６　第１係止片
２７　多段係止凹凸部
３　第２引出体
３１　第２カップ保持穴
３２　第２機能部
３３　係止片
３６　仮係止突起
４　前面パネル
５　底受け体
【図１】
2004010019.tif 000003
【図２】
2004010019.tif 000004
【図３】
2004010019.tif 000005
【図４】
2004010019.tif 000006
【図５】
2004010019.tif 000007
【図６】
2004010019.tif 000008